(57)【要約】      （修正有）【課題】ＰＤＨデータ信号列の伝送とＬＡＮデータの伝送を同時に行う。【解決手段】ＰＤＨデータ信号列入力を入力としスタッフ同期する複数のスタッフ同期回路と、無線フレーム多重化回路と、無線送受信回路と、ＬＡＮ終端回路を備え、ｍ本のＬＡＮ有線伝送路から入力されるＬＡＮ受信データを伝送する場合ＬＡＮ終端回路はマッピング制御信号に従いＬＡＮ有線伝送路に対する無線フレーム側の伝送容量を無線フレームのチャネル単位で決定し、パケット単位でカプセル化して多重データを生成し、ＬＡＮ終端回路から入力される多重データをマッピング制御信号にしたがって無線フレームの伝送領域に多重し無線フレーム伝送領域のうちＬＡＮ受信データが割り当てられた伝送領域以外は、ＰＤＨデータ信号列の伝送領域として割り当て無線フレームデータを生成し、無線送受信回路から伝送路を介して対向装置に伝送する。【選択図】図１
2005244328.tif 000002
【特許請求の範囲】
【請求項１】
複数の回線データ信号列を無線フレームにスタッフ多重して伝送する無線伝送装置であって、
ＬＡＮ（Local  Area  Network）インタフェースの終端機能を備え、
前記回線データ信号列の伝送領域として割り当てられている無線フレームの少なくともペイロードにＬＡＮデータを多重して伝送する手段を備えている、ことを特徴とする無線伝送装置。
【請求項２】
前記回線データ信号列は、ＰＤＨ（Plesiochronous Digital Hierarchy）データ信号列である、ことを特徴とする請求項１記載の無線伝送装置。
【請求項３】
無線フレームに対するマッピング制御信号を入力し、前記マッピング制御信号に基づき、ＬＡＮ有線伝送路から入力されるＬＡＮデータを、無線フレーム上の指定した伝送領域にマッピングすることにより、ＰＤＨデータ信号列とＬＡＮデータとを同時に伝送可能としてなる、ことを特徴とする請求項２記載の無線伝送装置。
【請求項４】
複数のＬＡＮ有線伝送路から入力される受信データをそれぞれ受信する複数の受信バッファと、
設定された無線帯域に、パケット単位で、順次多重して伝送する手段を備えている、ことを特徴とする請求項１又は２記載の無線伝送装置。
【請求項５】
ＬＡＮ有線伝送路に対して、無線伝送路側の帯域を、無線フレームのペイロードのチャネル単位で、個別に設定自在としてなる、ことを特徴とする請求項１乃至４のいずれか一に記載の無線伝送装置。
【請求項６】
無線フレームのチャネルにＬＡＮデータを割り当てる場合に、該当するチャネルのペイロードとチャネルのオーバーヘッドビットとが、ＬＡＮのデータ領域として割り当て自在とされてなる、ことを特徴とする請求項１に記載の無線伝送装置。
【請求項７】
複数本のＰＤＨ（Plesiochronous Digital Hierarchy）データ信号列入力を入力とし、それぞれ無線フレーム周波数にスタッフ同期する複数のスタッフ同期回路と、
前記スタッフ同期回路から出力を受け、無線フレームに多重する無線フレーム多重化回路と、
前記無線フレーム多重回路の出力を変調し、無線伝送路を介して伝送する無線送受信回路と、
複数本のＬＡＮ有線伝送路に接続されるＬＡＮ終端回路と、
を備え、
前記ＬＡＮ有線伝送路から入力されるＬＡＮ受信データを伝送する場合、前記ＬＡＮ終端回路は、入力されたマッピング制御信号に従い、前記ＬＡＮ有線伝送路に対する無線フレーム側の伝送容量を、無線フレームのチャネル単位で決定し、前記ＬＡＮ有線伝送路から入力されるＬＡＮ受信データをパケット単位でカプセル化して多重データを生成して前記無線フレーム多重回路に出力し、
前記無線フレーム多重回路は、前記ＬＡＮ終端回路から入力される多重データを前記マッピング制御信号によって定められた無線フレームの伝送領域に多重し、
前記無線フレーム伝送領域のうち、ＬＡＮ受信データがアサインされた伝送領域以外は、ＰＤＨデータ信号列の伝送領域として割り当てて無線フレームデータを生成し、前記無線送受信回路から伝送路を介して対向装置に伝送する、ことを特徴とする無線伝送装置。
【請求項８】
前記ＬＡＮ終端回路が、前記ＬＡＮ有線伝送路から入力されるＬＡＮ受信データをそれぞれ蓄積する複数の受信バッファと、
前記受信バッファからパケット単位でＬＡＮ受信データを読み出してカプセル化し、マッピング制御信号に従い、各ＬＡＮ有線伝送路に対する無線伝送路側の伝送容量を、無線フレームのチャネル単位で指定して、ペイロードへの多重データを生成するポート振り分け回路と、
を備えている、ことを特徴とする請求項７記載の無線伝送装置。
【請求項９】
前記無線送受信回路の出力に接続される無線フレーム抽出回路と、
無線フレーム抽出回路の出力を受け、複数本のＰＤＨデータ信号列出力にそれぞれ接続される複数のデスタッフ回路と、
をさらに備え、
前記無線送受信回路は、受信したデータを復調し、
前記無線フレーム抽出回路は、前記無線送受信回路からの出力を受け、無線フレーム同期を確立した後、無線フレームに多重されているＰＤＨデータ信号列を抽出し、
前記デスタッフ回路で、デスタッフ処理を行い、ＰＤＨデータ信号列を出力する、ことを特徴とする請求項７記載の無線伝送装置。
【請求項１０】
前記無線フレーム抽出回路において、無線フレームの同期確立後、前記マッピング制御信号により、無線フレーム上のＬＡＮデータが割り当てられているチャネルと、ＰＤＨデータ信号列が割り当てられているチャネルを別々に抽出し、
前記ＬＡＮデータが割り当てられているチャネルデータを前記ＬＡＮ終端回路へ出力し、一方、前記ＰＤＨデータ信号列が割り当てられているチャネルデータを対応する前記デスタッフ回路に出力し、
前記ＬＡＮ終端回路は、前記無線フレーム抽出回路から入力されるＬＡＮデータが割り当てられたチャネルデータから、パケット単位でデータを抽出し、前記ＬＡＮ有線伝送路へ出力する、ことを特徴とする請求項９記載の無線伝送装置。
【請求項１１】
１つのＬＡＮ有線伝送路に対して、無線伝送路側の帯域として、無線フレームのペイロードの複数のチャネルが割り当てられる、ことを特徴とする請求項７又は８に記載の無線伝送装置。
【請求項１２】
無線フレームのチャネルに、ＬＡＮデータを割り当てる場合に、該当するチャネルのペイロードとチャネルのオーバーヘッドビットとが、ＬＡＮのデータ領域として割り当て自在とされてなる、ことを特徴とする請求項７又は８に記載の無線伝送装置。
【請求項１３】
前記無線フレームは、無線伝送用のオーバーヘッドと、チャネル単位のオーバーヘッドとペイロードとで構成され、１つのチャネルのペイロードには前記ＰＤＨデータ信号列が１信号列分収容される、ことを特徴とする請求項２乃至１２のいずれか一に記載の無線伝送装置。
【請求項１４】
回線データ信号列とＬＡＮデータとを無線伝送するにあたり、無線フレームに対するマッピング制御信号を入力し、前記マッピング制御信号に基づき、ＬＡＮ有線伝送路から入力されるＬＡＮデータを、無線フレームの伝送領域に割り当てる工程と、
前記無線フレームの伝送領域に割り当てられたＬＡＮデータを回線データ信号列と同時に無線伝送する工程と、
を含む、ことを特徴とする無線伝送方法。
【請求項１５】
送信装置において、無線フレームに対するマッピング制御信号を入力し、前記マッピング制御信号に基づき、ＬＡＮ有線伝送路から入力されるＬＡＮデータを、無線フレーム上の指定された伝送領域にマッピングして、回線データ信号列とＬＡＮデータとを同時に無線伝送する工程と、
受信装置において、無線フレームの同期確立後、前記マッピング制御信号により、無線フレーム上のＬＡＮデータが割り当てられているチャネルと、回線データ信号列が割り当てられているチャネルを別々に抽出する工程と、
前記ＬＡＮデータが割り当てられているチャネルデータをＬＡＮ終端回路へ、回線データ信号列が割り当てられているチャネルデータを対応するデスタッフ回路に出力する工程と、
前記ＬＡＮ終端回路は、ＬＡＮデータが割り当てられたチャネルデータから、パケット単位でデータを抽出し、前記ＬＡＮ有線伝送路へ出力する工程と、
前記デスタッフ回路は、回線データ信号列をデスタッフ処理して回線データ出力線に出力する工程と、
を含む、ことを特徴とする無線伝送方法。
【請求項１６】
複数のＬＡＮ有線伝送路からそれぞれ入力される受信データを受信バッファに蓄え、設定された無線帯域に、パケット単位で、順次多重して伝送する工程を含む、ことを特徴とする請求項１４又は１５記載の無線伝送方法。
【請求項１７】
ＬＡＮ有線伝送路に対して、無線伝送路側の帯域を、無線フレームのペイロードのチャネル単位で、個別に設定自在としてなる、ことを特徴とする請求項１４乃至１６のいずれか一に記載の無線伝送方法。
【請求項１８】
無線フレームのチャネルにＬＡＮデータを割り当てる場合に、該当するチャネルのペイロードだけでなく、チャネルのオーバーヘッドビットも、ＬＡＮのデータ領域として割り当てる制御を行う工程を含む、ことを特徴とする請求項１４乃至１６のいずれか一に記載の無線伝送方法。
【請求項１９】
前記回線データ信号列はＰＤＨデータ信号列である、ことを特徴とする請求項１４乃至１８のいずれか一に記載の無線伝送方法。
【請求項２０】
前記無線フレームは、無線伝送用のオーバーヘッドと、チャネル単位のオーバーヘッドとペイロードとで構成され、１つのチャネルのペイロードには前記ＰＤＨデータ信号列が１信号列分収容される、ことを特徴とする請求項１９に記載の無線伝送方法。
【発明の詳細な説明】
【技術分野】
【０００１】
本発明は、無線伝送装置及び方法に関し、特に、回線データ信号列とＬＡＮデータを伝送する装置及び方法に関する。
【背景技術】
【０００２】
従来の無線伝送装置では、複数のＰＤＨ（Plesiochronous Digital Hierarchy）データ信号列を無線フレームに多重して伝送している。
【０００３】
ＬＡＮ(Local Area Network)網の普及に伴い、ＬＡＮインタフェースを実装し、無線伝送路を介してＬＡＮデータの伝送を行う必要性が高まっている。
【０００４】
また、複数のＬＡＮ有線伝送路に対して、ＬＡＮ有線伝送路に接続されるネットワーク網のトラフィックに応じて、無線伝送容量を変更する等、限られた無線伝送容量を有効に利用するための機能が必要となっている。
【０００５】
ところで、ＳＤＨ（Synchronous Digital Hierarchy）伝送装置において、ＳＴＭ−１フレーム構造を用いて、ＬＡＮデータの伝送を行うデータ通信方式が知られている（後記特許文献１参照）。図５は、後記特許文献１に記載されたデータ通信方式の構成を示す図である。図５において、１は基幹伝送路であり、ＳＴＭ−１のデータ伝送を行う。２は共通部であり、デスタッフ／スタッフにより伝送路からのクロックを各装置のクロックに乗せ換え、層分離／多重処理を行うものであり、外部入力データのＳＴＭ−１フレームへの多重と抽出を行う。３はバーストデータ系ラインセット部であり、ＰＣ−ＬＡＮ５から入力されるＬＡＮデータ等バーストデータをＳＴＭ−１フレームにあらかじめ割り当てられた帯域（５０Ｍｂ／ｓ、１００Ｍｂ／ｓ等）に対してメッセージ毎に順次分割伝送する。また、受信時は、分離されたデータをメッセージ毎に蓄積し、ＰＣ−ＬＡＮ５へ伝送する。４はデジタルハイアラーキの低次群／高次群用ラインセット部（スタッフ同期回路）であり、同期用に割り当てられた帯域インタフェースに合わせて同期系のデータ（６．３Ｍｂ／ｓ、２Ｍｂ／ｓ、１．５Ｍｂ／ｓ等）多重を行う。６はデジタルハイアラーキの低次群／高次群のデータ系である。低次群のデータ６は、スタッフ同期回路４で、ＳＴＭ−１フレーム周波数にスタッフ同期化され、ＳＴＭ−１フレームに多重される。
【０００６】
これにより、ＳＴＭ−１フレームを介して低次群のＰＤＨデータ信号列と、ＬＡＮデータの同時伝送を行っている。
【０００７】
【特許文献１】特開平０５−３１６１１９号公報（第２頁、第１図）
【発明の開示】
【発明が解決しようとする課題】
【０００８】
しかしながら、図５に示した従来の通信方式は、次のような問題点を有している。
【０００９】
第１の問題点は、回路が複雑且つ大規模になる、ということである。その理由は、ＳＴＭ−１フレームで伝送を行う構成とされており、低次群から高次群へ多重する度に、スタッフ同期とポインタ処理を行う必要があるためである。
【００１０】
第２の問題点は、ＬＡＮネットワーク網単位で無線伝送路側のスループットが保障できない、ということである。その理由は、複数の有線伝送路インタフェースを持たないため、複数のＬＡＮネットワーク網に対して無線伝送路側の帯域を個別に持つことができないことによる。
【００１１】
したがって、本発明の目的は、ＰＤＨデータ信号列の伝送とＬＡＮデータの伝送を同時に行う無線伝送装置及び方法を提供することにある。
【００１２】
本発明の他の目的は、ＬＡＮデータを効率的に伝送する無線伝送装置及び方法を提供することにある。
【００１３】
本発明のさらに他の目的は、上記目的を達成しつつ、各ＬＡＮ有線伝送路に対する無線伝送路側の帯域を保障したサービスを提供可能とする無線伝送装置及び方法を提供することにある。
【課題を解決するための手段】
【００１４】
本願で開示される発明は、上記目的を達成するため、概略以下のように構成される。
【００１５】
本発明の一つの側面に係る無線伝送装置は、複数のＰＤＨ（Plesiochronous Digital Hierarchy）データ信号列を無線フレームにスタッフ多重して伝送する無線伝送装置であって、ＬＡＮ（Local  Area  Network）インタフェースの終端機能を備え、ＰＤＨデータ信号列伝送領域として割り当てられている無線フレームのペイロードに、ＬＡＮデータを多重して伝送する手段を備えている。
【００１６】
本発明に係る無線伝送装置は、複数のＬＡＮ有線伝送路から入力される受信データを、受信バッファに蓄え、設定された１つの無線帯域に、パケット単位で、順次多重して伝送する。
【００１７】
本発明に係る無線伝送装置は、ｎ本のＰＤＨデータ信号列を収容可能な無線伝送容量を有し、ＰＤＨデータ信号列の伝送を行う場合に、ＰＤＨデータ信号列入力を入力とし、それぞれ無線フレーム周波数にスタッフ同期する複数のスタッフ同期回路（１１ａ〜１ｎ−ａ，１１ｂ〜１ｎ−ｂ）を有し、スタッフ同期回路から出力を受け、無線フレームに多重する無線フレーム多重化回路（４−ａ，４−ｂ）と、無線フレーム多重回路の出力を変調し、無線伝送路を介して伝送する無線送受信回路（６−ａ，６−ｂ）と、ＬＡＮ終端回路（３−ａ，３−ｂ）と、を備え、ｍ本のＬＡＮ有線伝送路（３０１−ａ〜３０ｍ−ａ，３０１−ｂ〜３０ｍ−ｂ）から入力されるＬＡＮ受信データを伝送する場合、ＬＡＮ終端回路（３−ａ，３−ｂ）は、入力されたマッピング制御信号（７−ａ，７−ｂ）に従い、ＬＡＮ有線伝送路（３０１−ａ〜３０ｍ−ａ，３０１−ｂ〜３０ｍ−ｂ）に対する無線フレーム側の伝送容量を、無線フレームのチャネル単位で決定し、ＬＡＮ有線伝送路（３０１−ａ〜３０ｍ−ａ，３０１−ｂ〜３０ｍ−ｂ）から入力されるＬＡＮ受信データを、パケット単位でカプセル化して多重データを生成し、前記無線フレーム多重回路（４−ａ，４−ｂ）に出力し、無線フレーム多重回路（４−ａ，４−ｂ）は、前記ＬＡＮ終端回路（３−ａ，３−ｂ）から入力される多重データを前記マッピング制御信号（７−ａ，７−ｂ）によって定められた無線フレームの伝送領域に多重し、無線フレーム伝送領域のうち、ＬＡＮ受信データがアサインされた伝送領域以外は、ＰＤＨデータ信号列の伝送領域として割り当てて無線フレームデータを生成し、無線送受信回路（６−ａ，６−ｂ）から伝送路を介して対向装置に伝送する。無線フレームは、無線伝送に必要なオーバーヘッドとチャネル単位のオーバーヘッドとペイロードとで構成され、１つのチャネルのペイロードにＰＤＨデータ信号列１信号列分を収容するものとする。
【００１８】
本発明において、無線送受信回路（６−ａ，６−ｂ）に接続される無線フレーム抽出回路（５−ａ，５−ｂ）において、無線フレーム同期確立後、マッピング制御信号（７−ａ，７−ｂ）により、無線フレーム上のＬＡＮデータがアサインされているチャネルと、ＰＤＨデータ信号列がアサインされているチャネルを別々に抽出し、前記ＬＡＮデータがアサインされているチャネルデータをＬＡＮ終端回路（３−ａ，３−ｂ）へ、前記ＰＤＨデータ信号列がアサインされているチャネルデータを、複数のデスタッフ回路（２１−ａ〜２ｎ−ａ，２１−ｂ〜２ｎ−ｂ）のうち対応する回路に出力し、ＬＡＮ終端回路（３−ａ，３−ｂ）は、前記無線フレーム抽出回路から入力されるＬＡＮデータがアサインされたチャネルデータから、パケット単位でデータを抽出し、ＬＡＮ有線伝送路へ出力する。なお、上記において、スタッフ同期回路（１１ａ〜１ｎ−ａ，１１ｂ〜１ｎ−ｂ）の（１１ａ〜１ｎ−ａ，１１ｂ〜１ｎ−ｂ）等、括弧内の符号は、あくまで発明の理解のための参考として付したものであり、発明を限定するためのものでないことは勿論である。
【００１９】
本発明の別の側面に係る方法は、無線フレームに対するマッピング制御信号を入力し、前記マッピング制御信号に基づき、ＬＡＮ伝送路から入力されるＬＡＮデータを、無線フレーム上の指定した伝送領域にマッピングする工程と、ＰＤＨデータ信号列とＬＡＮデータとを同時に無線伝送する工程と、を含む。
【発明の効果】
【００２０】
本発明によれば、無線フレームのペイロードにおいて、チャネル単位で、ＬＡＮデータとＰＤＨデータ信号列のアサイン（割り当て）を行っているため、ＰＤＨデータ信号列とＬＡＮデータを同時に伝送することができる。
【００２１】
本発明によれば、複数のＬＡＮ有線伝送路から入力される受信データを、受信バッファに蓄え、設定された１つの無線帯域に、パケット単位で、順次多重して伝送する構成をもつため、無線伝送路側におけるＬＡＮデータの伝送が効率よく行われる。
【００２２】
本発明によれば、各ＬＡＮ有線伝送路に対して、無線伝送路側の帯域を無線フレームのペイロードのチャネル単位で、個別に設定できるため、各ＬＡＮ有線伝送路に対する無線伝送路側の帯域を保障したサービスを提供することができる。
【発明を実施するための最良の形態】
【００２３】
本発明についてさらに詳細に説述すべく、添付図面を参照して実施形態を以下に説明する。
【００２４】
本発明を実施する最良の一実施の形態をなす無線伝送装置は、複数のＰＤＨデータ信号列を、独自の無線フレームにスタッフ多重して伝送する無線伝送装置において、ＬＡＮ（Local  Area  Network）インタフェースの終端機能をもち、本来、ＰＤＨデータ信号列伝送領域としてアサインされている無線フレームのペイロードに、ＬＡＮデータを多重して伝送する、ことを特徴としている。すなわち、無線フレームに対するマッピング制御信号に基づき、ＬＡＮ有線伝送路から入力されるＬＡＮデータを、無線フレーム上の指定した伝送領域に直接マッピングすることにより、ＰＤＨデータ信号列とＬＡＮデータとを同時に対向装置へ伝送できるようにしている。
【００２５】
また、本発明によれば、無線フレームにおいて、ＰＤＨデータ信号列の伝送容量単位で、ＬＡＮデータの無線伝送容量を変更可能な構成としたことで、複数のＬＡＮ有線伝送路に対する無線伝送路側の伝送容量を変更することができる。
【００２６】
図１は、本発明の一実施の形態の構成を示す図である。図１において、無線伝送装置Ａと無線伝送装置Ｂは、ｎ本（ｎは、自然数）のＰＤＨデータ信号列入出力インタフェースと、ｍ本（ｍは、自然数）のＬＡＮ有線伝送路インタフェースと、を備え、ｎ本のＰＤＨデータ信号列を収容可能な無線伝送容量を持つ伝送装置である。
【００２７】
ＰＤＨデータ信号列の伝送を行う場合、無線伝送装置Ａにおいて、各ＰＤＨデータ信号列入力１０１−ａ〜１０ｎ−ａは、スタッフ同期回路１１−ａ〜１ｎ−ａで、それぞれ無線フレーム周波数にスタッフ同期化され、無線フレーム多重回路４−ａで、無線フレームに多重した後、無線送受信回路６−ａで変調され、無線伝送路を介して、対向の無線伝送装置Ｂに伝送される。
【００２８】
無線伝送装置Ｂは、無線伝送装置Ａから受信したデータを、無線送受信回路６−ｂで復調し、無線フレーム抽出回路５−ｂで、無線フレーム同期を確立した後、無線フレームに多重されているＰＤＨデータ信号列を抽出し、デスタッフ回路２１−ｂ〜２ｎ−ｂで、デスタッフ処理を行い、ＰＤＨデータ信号列２０１−ｂ〜２０ｎ−ｂを出力する。
【００２９】
なお、無線伝送装置Ｂから無線伝送装置Ａへの伝送も、前記無線伝送装置ＡからＢへの伝送と同様にして行われるため、説明は省略する。
【００３０】
無線伝送装置Ａにおいて、ＬＡＮ有線伝送路から入力されるＬＡＮ受信データを伝送する場合、ＬＡＮ終端回路３−ａは、マッピング制御信号７−ａに従い、ＬＡＮ有線伝送路３０１−ａ〜３０ｍ−ａに対する無線フレーム側の伝送容量を、無線フレームのチャネル単位で決定し、ＬＡＮ有線伝送路３０１−ａ〜３０ｍ−ａから入力されるＬＡＮ受信データを、パケット単位でカプセル化して多重データを生成し、無線フレーム多重回路４−ａに出力する。
【００３１】
無線フレーム多重回路４−ａは、ＬＡＮ終端回路３−ａから入力される多重データをマッピング制御信号７−ａによって定められた無線フレームの伝送領域に多重する。
【００３２】
無線フレーム伝送領域のうちＬＡＮ受信データがアサインされた伝送領域以外は、ＰＤＨデータ信号列の伝送領域としてアサインして、無線フレームデータを生成し、無線送受信回路６−ａを介して、無線伝送装置Ｂへ出力する。
【００３３】
無線伝送装置Ｂでは、無線フレーム抽出回路５−ｂにおいて、無線フレーム同期確立後、マッピング制御信号により、無線フレーム上のＬＡＮデータがアサインされているチャネルと、ＰＤＨデータ信号列がアサインされているチャネルを別々に抽出し、ＬＡＮデータがアサインされているチャネルデータを、ＬＡＮ終端回路３−ｂへ、ＰＤＨデータ信号列がアサインされているチャネルデータを対応するデスタッフ回路に出力する。
【００３４】
ＬＡＮ終端回路３−ｂは、無線フレーム抽出回路５−ｂから入力されるＬＡＮデータがアサインされたチャネルデータから、パケット単位でデータを抽出し、ＬＡＮ有線伝送路３０１ーｂ〜３０ｍ−ｂへ出力する。
【００３５】
このようにして、本発明の一実施の形態の無線伝送装置では、ＰＤＨデータ信号列インタフェースとＬＡＮインタフェースを持ち、各々のデータを無線フレームのチャネル単位でマッピングすることにより、ＰＤＨデータ信号列とＬＡＮデータを同時に伝送可能とする。
【００３６】
また、各ＬＡＮ有線伝送路に対して無線伝送路側の帯域を無線フレームのチャネル単位で個別に設定できるため、各有線伝送路に対する無線伝送路側の帯域を保障したサービスを提供できる。以下具体的な実施例に即して説明する。
【実施例】
【００３７】
図１は、本発明の一実施例の構成を示す図である。図１において、無線伝送装置Ａ、Ｂはｎ本のＰＤＨデータ信号列を互いに送受信可能な無線伝送容量を持つ装置である。
【００３８】
無線伝送装置Ａは、スタッフ同期回路１１−ａ〜１ｎ−ａと、無線フレーム多重回路４−ａと、無線フレーム抽出回路５−ａと、無線送受信回路６−ａと、デスタッフ回路２１−ａ〜２ｎ−ａと、ＬＡＮ終端回路３−ａを備えている。無線伝送装置Ｂも同様の構成とされる。
【００３９】
無線伝送装置Ａの送信側について説明する。ＰＤＨデータ信号列入力１０１−ａは、スタッフ同期回路１１−ａにおいて無線フレーム周波数に対してスタッフ同期方式で同期化され、無線フレーム多重回路４−ａへ出力される。同様にＰＤＨデータ信号列１０２−ａからＰＤＨデータ信号列１０ｎ−ａもそれぞれに対応するスタッフ同期回路１２−ａ〜１ｎ−ａにより、無線フレーム周波数にスタッフ同期化されて無線フレーム多重回路４−ａへ出力される。
【００４０】
無線フレーム多重回路４−ａは、スタッフ同期回路１１−ａ〜１ｎ−ａから入力されたｎ本のスタッフ同期化後のＰＤＨデータ信号列を、無線フレームの伝送領域に多重し、無線送受信回路６−ａに出力する。無線フレームは、無線伝送に必要なオーバーヘッドと、チャネル単位のオーバーヘッドと、ペイロードとを備えて構成されており、１つのチャネルのペイロードに、ＰＤＨデータ信号列１信号分を収容するものとする。
【００４１】
また、チャネルのオーバーヘッドには、ペイロードに多重されているＰＤＨデータ信号列のスタッフ情報やアラーム情報が多重される。
【００４２】
ＬＡＮ終端回路３−ａは、複数のＬＡＮ有線伝送路３０１−ａ〜３０ｍ−ａから入力されるＬＡＮ受信データを、それぞれパケット単位で受信バッファ（不図示）に格納する。
【００４３】
無線フレーム多重回路４−ａは、ユーザ等から設定されるマッピング制御信号７−ａに従い、無線フレームの各チャネルを、ＬＡＮデータとＰＤＨデータ信号列のどちらにアサインするか決定し、ＬＡＮデータとしてアサインするチャネル分の速度でＬＡＮ終端回路３−ａの受信バッファから、ＬＡＮ受信データを、パケット単位で読み出し、指定したチャネルのペイロードに多重する。無線フレーム多重回路４−ａは、ＰＤＨデータ信号列としてアサインしたチャネルには、スタッフ同期回路から入力されるスタッフ処理後のＰＤＨデータ信号列を収容して無線フレームを構成し、無線送受信回路６−ａに出力する。
【００４４】
無線送受信回路６−ａは、無線フレームデータを変調し、無線周波数に搬送して対向の無線伝送装置Ｂに伝送する。
【００４５】
次に、受信側の構成について無線伝送装置Ｂで説明する。無線伝送装置Ａから無線伝送路を介して入力されたデータは無線送受信回路６−ｂにて復調され、無線フレーム同期を取って無線フレームデータを無線フレーム抽出回路５−ｂに出力する。
【００４６】
無線フレーム抽出回路５−ｂは前記無線フレームデータのペイロードから無線伝送装置Ａで多重したＰＤＨデータ信号列を抽出し、デスタッフ回路２１−ｂから２ｎ−ｂへ出力する。デスタッフ回路２１−ｂは前記無線フレーム抽出回路５−ｂにおいて抽出された各ＰＤＨデータ信号列をデスタッフし、ＰＤＨデータ信号列出力（回線データ出力）２０１−ｂ〜２０ｎ−ｂとして装置外部へ出力する。
【００４７】
無線フレームにＬＡＮデータをアサインした構成の場合、マッピング制御信号７−ｂに従い、ＬＡＮデータとしてアサインされているチャネルを抽出し、ＬＡＮ終端回路３−ｂへ出力する。
【００４８】
ＬＡＮ終端回路３−ｂは、無線フレーム抽出回路５−ｂから入力されるＬＡＮデータをパケット単位で送信バッファに蓄え、各ＬＡＮ有線伝送路３０１−ｂ〜３０ｍ−ｂに出力する。
【００４９】
なお、無線伝送装置ＢからＡへの伝送は、無線伝送装置ＡからＢへの伝送と同様であるめ、説明は省略する。
【００５０】
図２は、図１のＬＡＮ終端回路３−ａの構成の要部を示す図である。なお、無線伝送装置ＢのＬＡＮ終端回路３−ｂも同一構成とされる。
【００５１】
図２を参照すると、ＬＡＮ有線伝送路３０１−ａ〜３０ｍ−ａから入力されるＬＡＮ受信データは、各々受信バッファ３１１〜３１ｍに蓄えられる。
【００５２】
ポート振り分け回路８は、受信バッファ３１１〜３１ｍからパケット単位で、ＬＡＮ受信データを読み出してカプセル化し、マッピング制御信号７−ａに従い、各ＬＡＮ有線伝送路に対する無線伝送路側の伝送容量を、無線フレームのチャネル単位で指定して、ペイロードへの多重データを生成する。
【００５３】
図３（ａ）乃至（ｃ）は、それぞれ、図２のポート振り分け回路８の構成例を示す図である。図３（ａ）を参照すると、ポート振り分け回路８は、複数のＬＡＮ有線伝送路から入力されるＬＡＮ受信データ７０１〜７０ｍを、まとめて多重データ８０１を出力する。
【００５４】
次に、図３（ｂ）を参照すると、ポート振り分け回路８は、各々のＬＡＮ有線伝送路の受信データ７０１〜７０ｍに対して、個別の多重データ８０１〜８０ｍを出力する。
【００５５】
さらに、図３（ｃ）を参照すると、ポート振り分け回路８は、複数のＬＡＮ受信データを指定した組み合わせでまとめて多重データを出力する。図３（ｃ）に示す例では、２つのＬＡＮ受信データ７０１、７０２を１つにまとめて多重データ８０１を出力し、複数のＬＡＮ受信データ７０３〜７０ｍをまとめて１つの多重データ８０２を出力している。
【００５６】
図４は、本発明の一実施例のフレームフォーマットの一例を示す図である。
【００５７】
図１の本発明の一実施例の回路動作について説明する。図１において、無線伝送装置Ａ、Ｂは、ｎ本のＰＤＨデータ信号列を送受信可能な無線伝送容量を持つ装置であり、無線フレームデータは、図４（ａ）に示すように、無線伝送用のオーバーヘッドＯＨＢと、ｎチャネル分のオーバーヘッドＯＨＢ１〜ＯＨＢｎと、ペイロードで構成される。
【００５８】
無線伝送用のオーバーヘッドＯＨＢには、フレームビットやアラーム情報、補助信号等無線伝送に必要な情報が多重される。また、１つのチャネルのペイロードには、ＰＤＨデータ信号列１信号分が多重され、チャネル単位のオーバーヘッドＯＨＢ１〜ＯＨＢｎにはペイロードに多重されているＰＤＨデータ信号列１信号分のスタッフ情報やアラーム情報が多重される。
【００５９】
まず、無線フレームの全チャネルを、ＰＤＨデータ信号列の伝送としてアサインした場合の伝送過程について説明する。
【００６０】
無線伝送装置Ａにおいて、外部から入力されるｎ本のＰＤＨデータ信号列入力１０１−ａ〜１０ｎ−ａは、接続されるスタッフ同期回路１１−ａ〜１ｎ−ａにおいて、無線フレーム周波数に対してスタッフ同期方式で同期化され、それぞれ無線フレーム多重回路４−ａにおいて、無線フレームの各チャネルに多重された後、無線送受信回路６−ａを経由して変調され、無線伝送路に出力される。
【００６１】
無線伝送装置Ｂにおいて無線伝送路から入力された受信データは、無線送受信回路６−ｂを経由して復調され、無線フレーム抽出回路５−ｂに入力される。
【００６２】
無線フレーム抽出回路５−ｂでは、無線フレームデータの各チャネルからＰＤＨデータ信号列を抽出し、各々対応するデスタッフ回路２１−ｂ〜２ｎ−ｂで、デスタッフ操作を行い、ＰＤＨデータ信号列出力２０１−ｂ〜２０ｎ−ｂとして、装置外部に出力する。
【００６３】
次に、ＬＡＮ有線伝送路から入力されるＬＡＮ受信データを、無線フレームのチャネルのペイロードを利用して伝送する場合の動作について説明する。
【００６４】
図２を参照して、ＬＡＮ終端回路３−ａの無線方向への送信側の動作を説明する。ＬＡＮ終端回路３−ａは、ＬＡＮ有線伝送路３０１−ａ〜３０ｍ−ａから入力される受信データを、各々受信バッファ３１１〜３１ｍに蓄積し、ポート振り分け回路８に入力される読み出し制御信号に従い、パケット単位で、ＬＡＮ受信データ７０１〜７０ｍを出力する。ポート振り分け回路８は、入力されたマッピング制御信号７−ａに従い無線フレームへの多重データ８０１−８０ｍを生成する。
【００６５】
次に、図３を参照して、ポート振り分け回路８の構成及び動作について説明する。図３（ａ）を参照すると、ＬＡＮ有線伝送路３０１−ａ〜３０ｍ−ａから各々受信バッファを経由して入力されるＬＡＮ受信データ７０１〜７０ｍは、それぞれパケット単位で、カプセル化され、１本の多重データとして出力される。
【００６６】
多重データ８０１のデータ速度は、外部から入力されるマッピング制御信号７−ａにより、無線フレームのチャネル単位で変更され、無線フレーム多重回路４−ａにおいて割り当てられたペイロードのチャネルに多重する。残りのペイロードのチャネルには、ＰＤＨデータ信号列を収容することにより、無線伝送容量に対するＰＤＨデータ信号列の占有数とＬＡＮデータの伝送容量をチャネル単位で自由に変更することが可能となる。
【００６７】
また、複数のＬＡＮ有線伝送路から入力されるＬＡＮ受信データをまとめ、１つの帯域で伝送しているため、ＬＡＮデータの無線伝送帯域における伝送効率が上がることになる。
【００６８】
また図３（ｂ）を参照すると、ＬＡＮ有線伝送路３０１−ａ〜３０ｍ−ａから受信バッファを介して入力されるＬＡＮ受信データ７０１〜７０ｍは、各々マッピング制御信号７−ａにより設定されたチャネル単位の多重データ速度で出力される。
【００６９】
たとえば、図４（ｂ）において、ＬＡＮ有線伝送路３０１−ａから入力されたＬＡＮ受信データ７０１は、チャネル１の帯域を割り当て、ＬＡＮ有線伝送路３０２−ａから入力されたＬＡＮ受信データ７０２は、ペイロードのチャネル２と３の帯域を割り当て、残りのペイロードのチャネルには、ＰＤＨデータ信号列として割り当てる。
【００７０】
このように、マッピング制御信号７−ａにより、個々のＬＡＮ有線伝送路に対して独立した無線側の帯域を設定でき、且つ個々のＬＡＮ有線伝送路に対応する無線側の帯域を保障することができる。
【００７１】
さらに図３（ｃ）を参照すると、ｍ本のＬＡＮ有線伝送路３０１−ａ〜３０ｍ−ａを利用者のネットワーク単位でまとめ、多重データを出力する構成としている。
【００７２】
ＬＡＮ有線伝送路を使用している利用者が、同じネットワーク網にある場合、無線フレームの１つの帯域にまとめて伝送することにより、無線帯域の利用効率を上げることができる。また、複数のＬＡＮ有線伝送路の接続先が別々のネットワークである場合、ネットワーク単位で無線側の帯域を独立に割り当てることにより、他のネットワークからの余計なデータの流れ込みによるスループットの低下を防ぎ、ネットワーク単位で無線側の伝送帯域を保障することが可能となる。
【００７３】
上記した本発明の実施例の作用効果について説明する。
【００７４】
無線フレームのペイロードにおいて、チャネル単位で、ＬＡＮデータとＰＤＨデータ信号列のアサインを行っているため、ＰＤＨデータ信号列とＬＡＮデータを同時に伝送することができる。
【００７５】
各ＬＡＮ有線伝送路に対して、無線伝送路側の帯域を無線フレームのペイロードのチャネル単位で個別に設定できるため、各有線伝送路に対する無線伝送路側の帯域を保障したサービスを提供することができる。
【００７６】
複数のＬＡＮ有線伝送路から入力される受信データを受信バッファに蓄え、設定された１つの無線帯域に、パケット単位で、順次多重して伝送する構成をもつため、無線伝送路側におけるＬＡＮデータの伝送が効率よく行われるということである。
【００７７】
次に、本発明の第２の実施例について説明する。本発明の第２の実施例は、図１に示した前記実施例と同じであるが、図４（ｃ）に示すように、無線フレームのチャネルに、ＬＡＮ受信データをアサインする場合に、該当するチャネルのペイロードだけでなく、チャネルのオーバーヘッドビットも、ＬＡＮのデータ領域としてアサインすることにより、ＬＡＮデータの伝送容量を上げることが可能となる。
【００７８】
以上本発明を上記実施例に即して説明したが、本発明は、上記実施例の構成に限定されるものでなく、本発明の範囲内で当業者であればなし得るであろう各種変形、修正を含むことは勿論である。
【図面の簡単な説明】
【００７９】
【図１】本発明の一実施例の構成を示す図である。
【図２】本発明の一実施例におけるＬＡＮ終端回路の要部の構成を示す図である。
【図３】（ａ）〜（ｃ）は、ＬＡＮ終端回路ののポート振り分け回路の構成例を示す図である。
【図４】（ａ）〜（ｃ）は、本発明の実施例のフレームフォーマットの例を示す図である。
【図５】従来の技術（特許文献１記載の方式）の構成を示す図である。
【符号の説明】
【００８０】
１  基幹伝送路
２  共通部
３  バーストデータ系ラインセット部
４  デジタルハイアラーキの低次群／高次群用ラインセット部
５  ＰＣ−ＬＡＮ
６  デジタルハイアラーキの低次群／高次群のデータ系
１１−ａ、…１ｎ−ａ、１１−ｂ、…１ｎ−ｂ  スタッフ同期回路
２１−ａ、…２ｎ−ａ、２１−ｂ、…２ｎ−ｂ  デスタッフ回路
３−ａ、３−ｂ  ＬＡＮ終端回路
４−ａ、４−ｂ  無線フレーム多重回路
５−ａ、５−ｂ  無線フレーム抽出回路
６−ａ、６−ｂ  無線送受信回路
７−ａ、７−ｂ  マッピング制御信号
８  ポート振り分け回路
１０１−ａ、…１０ｎ−ａ、１０１−ｂ、…１０ｎ−ｂ  回線データ入力
２０１−ａ、…２０ｎ−ａ、２０１−ｂ、…２０ｎ−ｂ  回線データ出力
３０１−ａ、…３０ｍ−ａ、３０１−ｂ、…３０ｍ−ｂ  ＬＡＮ有線伝送路
３１１、３１２、…３１ｍ  受信バッファ
７０１、７０２、…７０ｍ  ＬＡＮ受信データ
８０１、８０２、…８０ｍ  多重データ
【図１】
2005244328.tif 000003
【図２】
2005244328.tif 000004
【図３】
2005244328.tif 000005
【図４】
2005244328.tif 000006
【図５】
2005244328.tif 000007